(57)【要約】【課題】  大容量の画像データのダビングとラベル印刷とを簡単に行うことが求められ、また複数枚のディスクへのダビングと、各記録媒体に対応するラベル印刷という異なる処理については操作方法が混乱しやすい。【解決手段】  記録媒体の記録容量に応じて、画像データを分割して分割データを作成する分割手段と、分割データごとに静止画像を生成する生成手段と、記録媒体ごとに分割データと静止画像を外部機器に送信する送信手段と、外部機器に対する分割データと静止画像との送信状況を表示装置に表示させるための制御を行う表示制御手段とを有する。【選択図】  図１
2010003333.tif 000002
【特許請求の範囲】
【請求項１】
メモリに記録されている画像データを複数の記録媒体に分割してダビングする為の記録制御システムであって、
前記記録媒体の記録容量に応じて、前記画像データを分割して分割データを作成する分割手段と、
前記分割データごとに静止画像を生成する生成手段と、
前記記録媒体ごとに前記分割データと前記静止画像を外部機器に送信する送信手段と、
前記外部機器に対する前記分割データと前記静止画像との送信状況を表示装置に表示させるための制御を行う表示制御手段とを有することを特徴とする記録制御システム。
【請求項２】
記録媒体への記録の為に、前記送信手段が前記分割データと前記静止画像とを送信した後に、前記表示制御手段は、前記表示装置に記録媒体の交換を促す表示を行わせることを特徴とする請求項１に記載の記録制御システム。
【請求項３】
前記表示制御手段は、前記分割データの記録媒体へのダビングの状況と、前記静止画像データを送信して前記記録媒体のラベル印刷の状況とを前記表示装置に表示させることを特徴とする請求項１または２に記載の記録制御システム。
【請求項４】
前記表示制御手段は、前記表示装置に前記分割データの記録媒体へのダビングの状況をプログレスバーで表示することを特徴とする請求項３に記載の記録制御システム。
【請求項５】
更に前記表示装置は、前記プログレスバーに対応させて、前記複数の記録媒体ごとのアイコンを表示することを特徴とする請求項４に記載の記録制御システム。
【請求項６】
前記アイコンは、前記記録媒体のラベル印刷が終了することに応じて色、形、又は大きさが変化することを特徴とする請求項５に記載の記録制御システム。
【請求項７】
メモリに記録されている画像データを複数の記録媒体に分割してダビングする為の記録制御方法であって、
前記記録媒体の記録容量に応じて、前記画像データを分割して分割データを作成する分割工程と、
前記分割データごとに静止画像を生成する生成工程と、
前記記録媒体ごとに前記分割データと前記静止画像を外部機器に送信する送信工程と、
前記外部機器に対する前記分割データと前記静止画像との送信状況を表示装置に表示させるための制御を行う表示制御工程とを有することを特徴とする記録制御方法。
【発明の詳細な説明】
【技術分野】
【０００１】
本発明は、ハードディスクカムコーダのように、大容量のデジタル画像データを扱う記録装置から、ＤＶＤのようなメディアにデータをコピー又はダビングする為の記録制御システム及び記録制御方法に関する。
【背景技術】
【０００２】
近年、ハードディスク（以下ＨＤＤ）や半導体メモリのように、内蔵された記憶媒体に大量の画像データを記録することが可能なカメラ一体型レコーダ（カムコーダ）が普及してきている。これらのカムコーダは、一度に大量のデータを記録しておくことができるが、容量に限界があるため、長期にわたり撮影した画像を保持しておくためには、記録されたデータを他の記録媒体に移動させる必要がある。そのための手段として、ＵＳＢケーブルで専用のＤＶＤライターと接続し、ＤＶＤにダビングする方法が一般化してきている。具体的な方法としては特許文献１のように、プレイリストと呼ばれる、あらかじめユーザーが特定の画像を指定したリストに従ってデータをダビングする方法が考案されている。
【０００３】
一方、近年ＤＶＤやＤＣ−ＲＯＭといったディスク状メディアの表面（ラベル面）に、ユーザーが任意の画像を印刷することを可能とした印刷装置が広く普及している。このような印刷装置と、主としてＰＣ上で動作するアプリケーションソフトを利用して、ハードディスク等の記録媒体に蓄えられた画像データや、ユーザーが入力したタイトル情報などを手軽にディスクのラベル面に印刷することが可能となってきた。
【０００４】
これら、ＤＶＤライターや印刷装置を利用することで、一般ユーザーでも自分が撮影した映像をＤＶＤにダビングし、その後ダビングされた映像に応じたラベル印刷を手軽に行うことが可能となってきた。
【特許文献１】特開２００６−３３３０３３号公報
【発明の開示】
【発明が解決しようとする課題】
【０００５】
このような状況の中、大容量の画像データのダビングとラベル印刷とを簡単に行うことが求められてきていると出願人は考えている。
【０００６】
上記目的を満足する為、大容量の画像データを、記録媒体に記録可能なデータ量ごとに分割し、分割されたデータを複数の記録媒体にダビングを行うことと、各記録媒体へのラベル印刷を簡単に実行できるようにする記録制御システムを提供することを目的とする。
また、複数枚のディスクへのダビングと、各記録媒体に対応するラベル印刷という異なる処理については操作方法が混乱しやすいので、それぞれの進行状況や操作方法を分かりやすくすることを目的とする。
【課題を解決するための手段】
【０００７】
上記の課題を解決するため、本発明の記録制御システムは、メモリに記録されている画像データを複数の記録媒体に分割してダビングする為の記録制御システムであって、記録媒体の記録容量に応じて、画像データを分割して分割データを作成する分割手段と、分割データごとに静止画像を生成する生成手段と、記録媒体ごとに分割データと静止画像を外部機器に送信する送信手段と、外部機器に対する分割データと静止画像との送信状況を表示装置に表示させるための制御を行う表示制御手段とを有することを特徴とする。
【発明の効果】
【０００８】
本発明によれば、大容量の記憶媒体に記録された画像データを、記録媒体に記録可能なデータ量ごとに分割し、分割されたデータを複数の記録媒体にダビングを行うことと、各記録媒体へのラベル印刷画像を簡単に実行できる。
【０００９】
また、複数枚のディスクへのダビングと、各記録媒体に対応するラベル印刷という異なる処理について、それぞれの進行状況や操作方法を分かりやすくすることが出来る。
【発明を実施するための最良の形態】
【００１０】
（実施例１）
本実施例ではハードディスク（ＨＤＤ）を画像データ記録用のメモリとして用いたカムコーダ（以下、ＨＤＤカムコーダと称す）と、プリンタ一体型のＤＶＤライタとをＵＳＢケーブルにより接続するシステムを用いて説明する。
【００１１】
図１は、電気的な構成を表したブロック図で、図の上部はＨＤＤカムコーダ、下部はプリンタ一体型ＤＶＤライタの装置構成を示す概略図である。
【００１２】
なお、以下の実施例ではダビング元の画像データを記録するメモリは、ＨＤＤで説明するが、ＤＶＤやメモリカード等の他の記憶媒体であっても適用可能であることは言うまでも無い。
【００１３】
まず、ＨＤＤカムコーダの構成について説明する。１−１は撮影された映像及び音声がＭＰＥＧ方式により圧縮されて記録されるハードディスクドライブ（ＨＤＤ）である。１−２はＨＤＤ（１−１）からデータを読み出すＡＴＡインターフェース、１−３は読み出されたデータが一時的に格納されるＤＤＲ−ＳＤＲＡＭである。１−４はＤＤＲ−ＳＤＲＡＭ（１−３）上に読み出された画像及び音声データをデコードするＭＰＥＧデコーダであって、デコードしたデータは再度ＳＤＲＡＭ（１−３）に書き込む。１−５は生成された静止画データをＪＰＥＧ方式で圧縮してＳＤＲＡＭに書き戻すＪＰＥＧエンコーダである。１−６は、ダビングするための動画データ及び印刷画像データとしての静止画像をＳＤＲＡＭ（１−３）から読み出して、ＵＳＢ規格に基づく通信制御を行うＵＳＢインターフェースである。１−７はＵＳＢ規格に基づく物理的インターフェースでありＵＳＢケーブルを接続することで外部機器と通信可能となるＵＳＢ−ＰＨＹ、１−８はこれらの電気ブロックを制御するマイコンである。
【００１４】
続いて、プリンタ一体型ＤＶＤライタの構成について説明する。
【００１５】
１−９はＨＤＤカムコーダとＵＳＢケーブルを介して物理的に接続する為の、ＵＳＢ規格に基づく物理的インターフェースであり、ＵＳＢケーブルを接続することで外部機器と通信可能となるＵＳＢ−ＰＨＹである。１−１０はＤＤＲ−ＳＤＲＡＭである。１−１１はＵＳＢ規格に基づきＨＤＤカムコーダと通信を行い、受信されたデータをＤＤＲ−ＳＤＲＡＭ（１−１０）の所定のアドレスに書き込むＵＳＢインターフェースである。１−１２はＪＰＥＧを用いて圧縮された静止画データを伸張するＪＰＥＧデコーダである。１−１３はＤＶＤドライブ、１−１４は受信したダビング用の動画データをＤＶＤドライブ（１−１３）に送信するＡＴＡインターフェースである。１−１５はＪＰＥＧデコーダ（１−１２）により伸張された静止画データをＤＶＤのラベル面に印刷するプリントユニットである。１−１６はこれらの電気ブロックを制御するマイコン、１−１７はＳＤＲＡＭ上のデジタル静止画データをアナログ映像信号に変換するＤＡコンバータ、１−１８は前記ＤＡコンバータから出力されたアナログ映像信号を表示するＬＣＤユニットである。
【００１６】
図２は、プリンタ一体型ＤＶＤライターの外観である。プリンタ一体型ＤＶＤライターは、ＤＶＤのラベル面印刷が可能なインクジェット方式のプリンタ部２０１と、ＤＶＤを装着して動画及び静止画データの読み書きを行うＤＶＤドライブ部２０２が一体となっている。また、これらの構成に加えて、情報表示を行うための液晶表示装置（ＬＣＤ）２０３や、ダビングするための動画データや印刷用の静止画データを受信するＵＳＢ端子２０４（図１の１−９に相当）、ＳＤカードスロット２０５などを備えている。
【００１７】
次に、ここまでで説明したような構成のＨＤＤカムコーダとプリンタ一体型ＤＶＤライターを用いて、撮影された動画像データをＤＶＤにダビングし、かつラベル印刷を行うための手順を詳細に説明する。本実施例では、ダビング及び印刷の進行状況は、プリンタ一体型ＤＶＤライター上のＬＣＤパネルに表示されるものとする。
【００１８】
図４は、ＨＤＤカムコーダ内に記録されたダビングする動画像データの例である。これは大容量のＨＤＤ内からあらかじめユーザーがダビング対象として選択したデータであるが、その選択方法や手順についてはここでは詳しく述べない。
【００１９】
まず、ＨＤＤカムコーダは、記録媒体としてのＤＶＤの記録容量を考慮して、選択されたダビング対象の動画像データを分割し、複数の分割データを作成する。本実施例においては、８月１５日に撮影された「海水浴」と、１０月７日に撮影された「運動会」がディスク１にダビングされるように分割データが作成される。同様にディスク２には１１月３日に撮影された「公園」と１２月２５日に撮影された「クリスマス」とが記録されるように分割データが作成される。ディスク３には、１月１日に撮影された「お正月宴会」が記録されるように分割データが作成される。
【００２０】
図５はディスク１のラベル面に印刷される印刷画像で、「海水浴」のシーンから３枚、「運動会」のシーンから３枚があらかじめ選択され、合計６枚の静止画像をＤＶＤの円周上に配置した構成となっている。この印刷画像は、ＨＤＤ（１−１）から読み出され、ＭＰＥＧデコーダ（１−４）にてデコードされた動画像データから抽出した静止画像を、再度ＪＰＥＧエンコーダ（１−４）にて圧縮し、ＳＤＲＡＭ（１−３）に書き込むことで生成されているものである。マイコン（１−８）は、ディスク１への分割データのダビングが終了した後に、この印刷用の静止画像を送信するようにＵＳＢインターフェース（１−６）を制御する。このような制御手順により、「海水浴」と「運動会」のシーンがダビングされたＤＶＤのラベル面に、これらの動画像から生成されたラベル印刷画像を行うことが可能となる。
【００２１】
図６を用いて、ＤＶＤダビングとラベル印刷を連続的に行う手順について詳しく説明する。
【００２２】
この図は、ＵＳＢケーブルを通じてＨＤＤカムコーダとプリンタ一体型ＤＶＤライタがどのようなやり取りを行うかを表したものである。本処理が始まると、ＨＤＤカムコーダはまず６−１において、進行状況確認画像をＬＣＤ表示コマンドとともにプリンタ一体型ＤＶＤライタに対して送信する（進行状況確認画像については後ほど詳しく説明する）。プリンタ一体型ＤＶＤライタはこのコマンド及びデータを受ると、６−２にて進行状況確認画像をＬＣＤ上に表示した後にＡＣＫを返す。ＨＤＤカムコーダはＡＣＫを受けるとＤＶＤダビング処理を開始し、６−３にて「海水浴」の動画像ストリームをＤＶＤ書き込みコマンドと共にプリンタ一体型ＤＶＤライタに送信する。プリンタ一体型ＤＶＤライタは６−４にて、このコマンド及びストリームを受信し、ＤＶＤドライブに受信したストリームデータを送信することでＤＶＤ書き込みを行う。書き込みが終了すると、プリンタ一体型ＤＶＤライタはＡＣＫを返す。ＨＤＤカムコーダとプリンタ一体型ＤＶＤライタは、６−５、６−６でも同様の手順を繰り返し、ダビングを進める。その後、そのストリームの送信が終了すると、ＨＤＤカムコーダは６−７で進行状況確認画像を更新し、更新した画像データをＬＣＤ表示コマンドと共に送信する。プリンタ一体型ＤＶＤライタはこのコマンドを受け取ると、受信した画像データを用いて、６−８にて進行状況確認画像をＬＣＤ上に表示しＡＣＫを返す。
【００２３】
ＨＤＤカムコーダは、ＡＣＫを受けると、６−９にて、次のストリーム「運動会」のダビング処理を再開して、次の分割データの送信を行う処理に移行し、「海水浴」のデータと同様にデータの送信と記録の処理を繰り返す。
【００２４】
以上説明したような手順を繰り返すことで、ＤＶＤダビング及び進行状況確認画像表示の更新を進め、ディスク１に記録すべき分割データのダビングが全て終了すると、６−１０でプリンタ一体型ＤＶＤライタはＡＣＫを返す。その後ＨＤＤカムコーダは、６−１１でラベル印刷画像データを、ラベル印刷コマンドと共に送信する。このデータ及びコマンドを受信したプリンタ一体型ＤＶＤライタは、ＤＶＤドライブ２０２からダビング済みのＤＶＤを排出し、分割データの記録されたＤＶＤがプリンタ部２０１へ装着されたことを検出するとラベル印刷処理を開始し、ＡＣＫを返す。ＡＣＫを受けたＨＤＤカムコーダは、印刷が開始された状態に進行状況確認画像を更新して、ＬＣＤ表示コマンドと共にプリンタ一体型ＤＶＤライタに送信する。
【００２５】
なお、６−１１でこのＤＶＤへダビングすべき分割データの記録が終了した後の表示部２０３は、ダビングの終了したＤＶＤをプリンタ部２０１へ装着を促すガイダンスも表示とするのが好ましい。また、次のＤＶＤに記録すべき分割データが残っている場合には、新たなＤＶＤをＤＶＤドライブ２０２へ装着することを促すガイダンスの表示も行うのが好ましい。このような表示制御を行う為には、６−１０の後のＡＣＫを受信したＨＤＤカムコーダは、６−１１の処理前に、上記のガイダンスを表示部２０３に表示する為のコマンドと、ガイダンス用の画像データを送信するように構成するのが良い。
【００２６】
図３は、進行状況確認画面であり、外部機器としてのプリンタ一体型ＤＶＤライタに対するダビング対象の画像データやラベル印刷用の静止画像の送信状況を表示している。また、上述したように、ＤＶＤ交換などの操作ガイダンスを表示可能とする。３−１はダビング印刷進行状況説明エリアで、中段部分はダビングの状況、下段部分は印刷の進行状況を表示している。また例えば「３／３」の表示のうちの「／」の右側の数字が、分割記録される複数の記録媒体（ＤＶＤ）の総数である。また左側が現在データを記録している記録媒体の番号である。ここでは、全３枚のＤＶＤに分割記録されるうち、２枚目まではデータのダビングが終了し３枚目のＤＶＤにダビングしていることを示している。更に下段の「２／３」は、ラベル印刷は全３枚中の２枚目の印刷を行っていることを示している。
【００２７】
３−２はダビングの進行状況を表すプログレスバーで、バーの下部にはダビング全体に必要な時間が表示されている。このプログレスバーの色の変化で経過時間を表示している。３−４、３−５、３−６は印刷状況を示すアイコンで、ＤＶＤに印刷されるラベル画像を縮小したものである。このアイコンはＨＤＤカムコーダが分割データに基づき生成した静止画像を縮小し、表示画像データに含ませて送ることで実現される。それぞれのアイコンは、プログレスバー（３−２）上、それぞれのディスクのダビングが終了する時間位置に配置されており、ダビングと印刷操作の関係がわかりやすい構成となっている。また、印刷中はこのアイコンが点滅し、印刷が終了すると印刷前とは異なる色で着色されることで、印刷の進行状況を把握することが可能となっている。なお、このアイコンは印刷終了の前と後とで、固いや大きさを変えるようにしても良い。
【００２８】
ガイダンスの具体的な表示例については図３に図示していないが、図３の表示に合成するか、別画面に切り替えるなどして、ガイダンス等を表示すればよい。
【００２９】
以上説明してきたようなダビング処理は、データのコピー処理と同意である。
【００３０】
また、ＨＤＤカムコーダの代わりに、データのダビング処理とラベル印刷処理を制御する記録制御システムとしてパーソナルコンピュータにも適用可能である。またこのパーソナルコンピュータ上で、蒸気実施例と同様の処理を制御する為のコンピュータプログラムも本発明に含まれる。またこのコンピュータプログラムを格納する記憶媒体も本発明の範疇に含まれる。
【００３１】
さらには、記録媒体に記録されたデータを他の記録媒体にコピーする処理とラベル印刷する処理、更には進捗状況を表示するための表示制御装置及びディスプレイとを全て一体として構成した装置にも適用可能である。つまり、元の画像データから分割データを生成し、分割データに対応する静止画像データを作成し、図３のような状況画面の表示を行う為の表示制御手段及びディスプレイを１つの装置で構成しても良い。
【００３２】
また、ダビングするメディアはＤＶＤに限るものではなく、ＣＤやメモリーカードなどの他の記録媒体も適用可能である。さらにはラベル印刷処理は、記録媒体への直接印刷に限るものではなく、ラベルシールへの印刷処理も含む。
【００３３】
［他の実施の形態］
なお、本発明の目的は、以下の処理を実行することによって達成される。即ち、上述した実施の形態の機能を実現するプログラムコードを記録した記憶媒体を、システム或いは装置に供給し、そのシステム或いは装置のコンピュータ（またはＣＰＵやＭＰＵ等）が記憶媒体に格納されたプログラムコードを読み出す処理である。
【００３４】
この場合、記憶媒体から読み出されたプログラムコード自体が前述した実施の形態の機能を実現することになり、そのプログラムコード及び該プログラムコードを記憶した記憶媒体は本発明を構成することになる。
【００３５】
また、プログラムコードを供給するための記憶媒体としては、次のものを用いることができる。例えば、フロッピー（登録商標）ディスク、ハードディスク、光磁気ディスク、ＣＤ−ＲＯＭ、ＣＤ−Ｒ、ＣＤ−ＲＷ、ＤＶＤ−ＲＯＭ、ＤＶＤ−ＲＡＭ、ＤＶＤ−ＲＷ、ＤＶＤ＋ＲＷ、磁気テープ、不揮発性のメモリカード、ＲＯＭ等である。または、プログラムコードをネットワークを介してダウンロードしてもよい。
【００３６】
また、コンピュータが読み出したプログラムコードを実行することにより、上記実施の形態の機能が実現される場合も本発明に含まれる。加えて、そのプログラムコードの指示に基づき、コンピュータ上で稼動しているＯＳ（オペレーティングシステム）等が実際の処理の一部または全部を行い、その処理によって前述した実施の形態の機能が実現される場合も含まれる。
【００３７】
更に、前述した実施の形態の機能が以下の処理によって実現される場合も本発明に含まれる。即ち、記憶媒体から読み出されたプログラムコードが、コンピュータに挿入された機能拡張ボードやコンピュータに接続された機能拡張ユニットに備わるメモリに書き込まれる。その後、そのプログラムコードの指示に基づき、その機能拡張ボードや機能拡張ユニットに備わるＣＰＵ等が実際の処理の一部または全部を行う場合である。
【図面の簡単な説明】
【００３８】
【図１】実施例を表すブロック図
【図２】プリンタ一体型ＤＶＤライター
【図３】進行状況確認画面
【図４】ダビングデータの例
【図５】ディスク１のラベル印刷画像
【図６】ダビング処理とラベル印刷の手順の説明図
【符号の説明】
【００３９】
１−１  ハードディスクドライブ
１−２  ＡＴＡインターフェース
１−３  ＤＤＲ−ＳＤＲＡＭ
１−４  ＭＰＥＧデコーダ
１−５  ＪＰＥＧエンコーダ
１−６  ＵＳＢインターフェース
１−７  ＵＳＢ−ＰＨＹ
１−８  マイコン
【図１】
2010003333.tif 000003
【図２】
2010003333.tif 000004
【図３】
2010003333.tif 000005
【図４】
2010003333.tif 000006
【図５】
2010003333.tif 000007
【図６】
2010003333.tif 000008